(57)【要約】      （修正有）【課題】個人が外出してモバイル端末の表示画面を注視しながら歩行や運転を行う際に惹起される、不注意による事件及び事故を防ぐ。【解決手段】単独で機能できる超小型カメラを、モバイル端末使用者の着用している衣服や帽子やカバン等の携帯品の前後左右に取付けて、超小型カメラから得られたモバイル端末使用者の前後左右からの画像をケーブルや無線を用いてモバイル端末に送信して、使用者の身の回り360度の現実を監視する画像を作成し、モバイル端末使用者自身に身の回りの安全を監視させる。更にAIの画像認識技術や画像を監視するセンターを利用して、モバイル端末使用者の身の回りの安全を確保する。【選択図】図１
2020137106.tif 000002
【特許請求の範囲】
【請求項１】
電源や通信装置を具備して単独で機能できる自立式超小型カメラをモバイル端末使用者の着用している衣服や帽子やカバン等の携帯品の前後若しくは左右若しくは前後左右に取付けて、自立式超小型カメラから得られたモバイル端末使用者の前後や左右四方からの画像をケーブルやWiFiやBluetooth等の無線でモバイル端末に送信して、モバイル端末使用者の身の回360度のリアルタイムの現実を監視する画像をモバイル端末で作成して、モバイル端末使用者本人に提供するモバイル端末システム。
【請求項２】
前記請求項１に記載の自立式超小型カメラを用いるモバイル端末システムで、AIの認識技術を用いて、使用者の前後や左右のリアルタイムの現実画像及び時間推移による現実画像の変化から使用者の身の回りの危険を予測して、使用者に危険が及びそうになった時に、使用者に音声や映像、振動等で知らせるアプリを備えたモバイル端末システム。
【請求項３】
前記請求項１に記載の自立式超小型カメラを用いるモバイル端末システムで、自立式超小型カメラから得られたモバイル端末使用者の身の回りのリアルタイムの画像を無線で飛ばして、モバイル端末使用者から離れた場所の監視者が画像を見たり、録画したり、AI技術で画像を分析したりすることを可能とするアプリを備えたモバイル端末システム。
【発明の詳細な説明】
【技術分野】
【０００１】
本考案は、ウェラブルカメラを用いたモバイル端末利用者の安全向上に関する。
【背景技術】
【０００２】
近年一部の自動車メーカーは車体の前後左右に監視カメラを取付けて、車の周囲360度の
視界を運転者に提供する装置を販売している。
【発明の概要】
【発明が解決しようとする課題】
【０００３】
スマホ等モバイル端末の普及が広がり、最近は歩きながら或いは自転車や自動車を運転し
ながらモバイル端末を操作する人が増え、その結果現実世界への注意が不足がちになり多
くの事故の原因を惹起し、社会の安全性に悪影響を与える深刻な事態に至っており、外出
時にモバイル端末の画面に意識を強く集中して使用する際のモバイル端末使用者の安全の
担保が課題となってきている。
【課題を解決するための手段】
【０００４】
電源や通信装置を具備して単独で機能できる超小型カメラ(以降、本出願書中では、「自
立式超小型カメラ」と略称する)を、モバイル端末使用者本人の衣服や帽子やカバン等の
携帯品の前後や左右に取付けて、撮影した画像をケーブルやWiFiやBluetooth（登録済商
標）等の無線でモバイル端末使用者本人のモバイル端末に送信し、そのモバイル端末でモ
バイル端末使用者本人の身の回り360度の現実を監視するリアルタイムの画像を作成して
モバイル端末使用者本人に提供し、モバイル端末使用者本人が外出時に事故や事件を避け
るように、この画像を利用する。また街角や建築物内部や電車、バスの車内などで公的な
監視カメラが無い場所においても、このウェアラブルな自立式超小型カメラからの画像を
利用したモバイル端末利用者の身の回りの安全を監視するシステムを構築して監視する事
で事故や犯罪の捜査がより容易になり、その結果個人への犯罪の抑止力が生じ、個人への
犯罪を減少させる事が可能である。
【０００５】
（０００４）に記載の自立式超小型カメラからの画像をモバイル端末使用者が利用する場
合には、モバイル端末使用者の身の回りの現実の画像とネットから提供されるSNSやゲー
ム等の一般の情報画像とが明確に判別出来る様に画像を工夫して表示する必要がある。例
えば、モバイル端末使用者の前後左右の画像は接近する人や物が近くにない無い場合には
小さく表示したり、或いは表示を止めたりし、前後や左右からモバイル端末使用者の近く
に接近する人や物がある場合には、前後や左右の画像を大きく表示したり、点滅させたり
して注意を喚起する。またAIの認識技術を用いて、モバイル端末使用者の前後左右の画像
からモバイル端末使用者の身の回りの危険をAIアプリが予測して、モバイル端末使用者に
危険が及びそうになったら、モバイル端末使用者に危険を知らせるシステムを構築する事
もできる。更に、モバイル端末使用者の身の回りの画像を無線で飛ばして、モバイル端末
使用者から離れた位置の監視者が画像を見たり、録画したりしてモバイル端末使用者の安
全を守る事もできる。
【発明の効果】
【０００６】
単独で機能できる超小型カメラでモバイル端末利用者の身の回りの画像を本人に提供する
事で、モバイル端末使用者が自分の注意不足から起きる事故や事件を減らす事がより容易
にできる。特に未成年者や女性や身障者の屋外での安全性を高める事に寄与できる。また
街角や建築物内部や電車、バスの車内などで公的な監視カメラが無い場所においても、こ
のウェアラブルな超小型カメラからの画像を利用して、モバイル端末利用者の身の回りの
安全を監視するシステムを構築する事で犯罪捜査がより容易になり、その結果個人への犯
罪の抑止力となり、個人への犯罪を減少させる可能性がある。
【図面の簡単な説明】
【０００７】
本発明における実施の例を示す。
【図１】本発明に係る超小型カメラを(A)衣服に、(B)帽子に、(C)カバンに、それぞれ取付けた例を示す図である。超小型カメラからモバイル端末に無線装置で画像が送信される。
【発明を実施するための形態】
【０００８】
以下に、本発明に係る自立式超小型カメラを使用する実施形態を図１に示す。以下図面を参照して説明する。ただし、ここに説明するのは単なる例示であって、これによって本発明が限定されるわけではない。
【０００９】
超小型カメラを衣服、帽子、バッグに装着した例を図１に示す。四角の中に二重丸が超小
型カメラを示す。図中の帽子とバッグでは前側と側面の片側しか表示されていないが、実
際には後側及び表示のない反対側の側面にも超小型カメラが取り付けられている。超小型
カメラで撮影された画像はモバイル端末使用者の所持するモバイル端末に送られ、モバイ
ル端末使用者の身の回り360度を監視する画像に組み立てられて、使用者のモバイル端末
の画面の一部または全部に表示され、使用者の安全確保に用いられる。超小型カメラの画像やモバイル端末使用者の身の回り360度を監視する画像はモバイル端末使用者から離れた監視装置に送られ、使用者の安全を遠隔地の監視者が見守る事もできる。また、超小型カメラで撮影された画像中の人物に対する肖像権の問題は、AI等を用いた画像認識技術の顔認識により、超小型カメラで撮影された画像に対して個人が特定できない様に顔の部分を不明瞭に「ぼかす」等の処理を行ってから画像を表示する手法を用いれば解決できる。
【図１】
2020137106.tif 000003
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
電源や通信装置を具備して単独で機能できる自立式超小型カメラをモバイル端末使用者の着用している衣服や帽子やカバン等の携帯品の前後若しくは左右若しくは前後左右に取付けて、自立式超小型カメラから得られたモバイル端末使用者の前後や左右四方からの画像をケーブルやWiFiやBluetooth（登録商標）等の無線でモバイル端末に送信して、モバイル端末使用者の身の回360度のリアルタイムの現実を監視する画像をモバイル端末で作成して、モバイル端末使用者本人に提供するモバイル端末システム。
【請求項２】
前記請求項１に記載の自立式超小型カメラを用いるモバイル端末システムで、AIの認識技術を用いて、使用者の前後や左右のリアルタイムの現実画像及び時間推移による現実画像の変化から使用者の身の回りの危険を予測して、使用者に危険が及びそうになった時に、使用者に音声や映像、振動等で知らせるアプリを備えたモバイル端末システム。
【請求項３】
前記請求項１に記載の自立式超小型カメラを用いるモバイル端末システムで、自立式超小型カメラから得られたモバイル端末使用者の身の回りのリアルタイムの画像を無線で飛ばして、モバイル端末使用者から離れた場所の監視者が画像を見たり、録画したり、AI技術で画像を分析したりすることを可能とするアプリを備えたモバイル端末システム。
【請求項４】
前期請求項１及び請求項２及び請求項３に記載の自立式超小型カメラを用いるモバイル端末システムで、自立式超小型カメラで撮影された画像中の人物の顔に対して、AIを用いた画像認識技術の顔認識により、モバイル端末使用者が事前に登録した人物についてはそのまま表示し、それ以外の人物については個人が特定できない様に顔の部分を不明瞭に「ぼかす」等の処理を行ってから画像を表示するが、事件発生などで必要となった場合には「ぼかす」前の顔の復元が可能となるアプリを備えたモバイル端末システム様。  
【請求項５】
前期請求項１及び請求項２及び請求項３及び請求項４に記載の自立式超小型カメラを用いるモバイル端末システムで、自立式超小型カメラで撮影された画像から、AIを用いた画像認識技術により、モバイル端末使用者と本人の身の回りの人や物体との位置関係や距離を算出し表示する事が可能となるアプリを備えたモバイル端末システム様。